(57)【要約】      （修正有）【課題】内袋を外容器内側に剥離自在に備えた二重容器の内袋内に第二剤を確実に注入できる二重容器用注入容器を提供すること。【解決手段】外容器内の剥離可能な内袋内に第一剤を収納した二重容器で、二重容器の口部より内袋内に第二剤を注入させる注入容器において、注入容器の口部に二重容器の口部内側に挿入が可能で、かつ第二剤を注出させる注出口が開口する蓋部を備え、蓋部の頂壁上に弾性変形可能な２本の突状部材を、注出口の前方に設け、突状部材の間隔を狭めて二重容器の口部より挿入し、二重容器内で突状部材の間隔を広げて内袋内面を押し広げることとして二重容器用注入容器を構成した。それにより、第二剤を二重容器の口部周辺に貯留させることなく、注入容器から確実に注入させることができ、更に蓋部を口部に挿入した状態で注入容器を回転させると、突状部材が二重容器口部内部で回動し、より大きく内袋を押し開かせることができる。【選択図】図１
2006123976.tif 000002
【特許請求の範囲】
【請求項１】
内袋を外容器の内面に剥離可能に備え、該内袋内に第一剤を収納した二重容器であり、該二重容器の口部より第二剤を前記内袋内の第一剤に注入させる注入容器において、
注入容器の口部に、二重容器の口部内側に挿入が可能で、かつ頂壁に第二剤を注出させる注出口が開口された蓋部を備え、
該蓋部の頂壁上に、注出口の前方に向けて延びる弾性変形可能な突状部材を設けた二重容器用注入容器。
【請求項２】
蓋部の頂壁上に複数の突状部材を設け、複数の突状部材の間隔を狭めて二重容器の口部より挿入し、突状部材の弾性復元力を用いて二重容器内で突状部材の間隔を広げて前記内袋内面を押し広げることとした請求項１に記載の二重容器用注入容器。
【請求項３】
前記蓋部内側に注入容器の口部に向けた切刃部を備え、該蓋部を口部にねじ込むと、予め密閉された口部を切刃部が切り開き開口させる請求項１または２に記載の二重容器用注入容器。
【発明の詳細な説明】
【技術分野】
【０００１】
本発明は、第一剤と第二剤からなる混合液の第一剤を予め二重容器内に収納し、その二重容器に第二剤を口部より注入する二重容器用注入容器に関する。
【背景技術】
【０００２】
毛染め剤など空気に触れると変質しやすい性質を有する液剤の場合には、液剤を第一剤と第二剤とに分けて保管し、それらを混合して所定の効能が生ずるようにした混合タイプのものが知られている。
【０００３】
二重容器は外容器内に内袋を外容器から剥離可能に設け、内袋内に液剤を収納することにより使用中も液剤を空気から遮断して保管できる機能を有している。この二重容器は外容器を押圧したときに一方向弁を介して内袋との間に空気を取り入れ、その圧力で液剤を注出させたり、口部に設けた吸い上げポンプで液剤を内袋から取り出すようにしている。
【０００４】
このような二重容器で混合タイプの液剤を用いる場合としては、例えば混合液の第一剤を予め二重容器の内袋に収納させておき、第二剤を収納した注入容器の注出口を二重容器の口部内に挿入し、注出口から第二剤を二重容器内に注入し、第一剤と第二剤とを内袋内で混合させることがある。
【特許文献１】特開２００１−１０６２６３号公報
【発明の開示】
【発明が解決しようとする課題】
【０００５】
しかしながら注入容器の蓋部を二重容器の口部に挿入した際二重容器の内袋が注出口を塞いでいると、注出口から注出された第二剤が内袋の内側に付着し二重容器の口部周辺に第二剤が貯留されてしまうことがある。
【０００６】
このことは第二剤がクリーム状で高い粘性を有する場合などでは特に顕著で、口部周辺に貯留したまま第二剤が第一剤内に落下しなくなる。また注入容器を二重容器の口部から引き抜いた際、注入容器の蓋部外周に付着したまま第二剤が注入容器とともに引き出されたり、注入すべき第二剤が注出口と二重容器の口部の隙間から逆流し口部の外に漏出してしまうことがあった。
【０００７】
本発明は、内袋を外容器内側に剥離自在に備えた二重容器の内袋内に第二剤を確実に注入できる二重容器用注入容器を提供することを目的とする。
【課題を解決するための手段】
【０００８】
本発明は上記課題を解決するため、二重容器用注入容器を次のように構成した。
【０００９】
１、  内袋を外容器の内面に剥離可能に備え、該内袋内に第一剤を収納した二重容器であり、二重容器の口部より第二剤を前記内袋内の第一剤に注入させる注入容器において、注入容器の口部に、二重容器の口部内側に挿入が可能で、かつ頂壁に第二剤を注出させる注出口が開口された蓋部を備え、蓋部の頂壁上に、注出口の前方に向けて延びる弾性変形可能な突状部材を設けて二重容器用注入容器を構成した。
【００１０】
２、  １に記載の二重容器用注入容器において、蓋部の頂壁上に複数の突状部材を設け、複数の突状部材の間隔を狭めて二重容器の口部より挿入し、突状部材の弾性復元力を用いて二重容器内で突状部材の間隔を広げて前記内袋内面を押し広げることとした。
【００１１】
突状部材の形状は全体の太さに変更のない棒状に限らず、先端を平たくしたへら状、先端を丸く球状に形成したもの、先端を複数に分割した枝状などでもよく、また蓋部の頂壁に設ける突状部材の数も一本に限るものではなく複数本でよく、望ましくは複数本の突状部材を対向する位置に設ける。
【００１２】
３、  １または２に記載の二重容器用注入容器において、蓋部内側に注入容器の口部に向けた切刃部を備え、蓋部を口部にねじ込むと、予め密閉された口部を切刃部が切り開き開口させることとした。
【発明の効果】
【００１３】
本発明の注入容器によれば、二重容器の口部内に突状部材を挿入すると、内袋の内面どうしが密着して閉じた状態でも内袋を強制的に押し開かせて、注出口の前方に空間を形成する。それにより、第二剤を二重容器の口部周辺に貯留させることなく、注入容器から第一剤内に確実に注入させることができる。更に蓋部を口部に挿入した状態で注入容器を二重容器に対して回転させると、突状部材が二重容器の口部内部で大きく円を描くように回動し、より大きく内袋を押し開かせることができる。
【００１４】
また、二重容器内で複数の突状部材の間隔が広がり、それによっても注出口の前方に空間が形成されて第二剤を確実に注入させることができる。突状部材は弾性を有しているため二重容器への挿入前にそれらをつまみ容易にその間隔を狭めることができ、二重容器の口部に簡易、かつ確実に挿入でき、更にその弾性復元力により確実に内袋を開かせることができる。
【００１５】
蓋部内側に切刃部を設けたので、蓋部を口部にねじ込むことにより口部を切り開くことができ、使用直前まで第二剤を密封しておき、かつ使用する時には容易に開封して注出できる。
【発明を実施するための最良の形態】
【００１６】
図４、図５に注入容器２を示す。
【００１７】
注入容器２は容器本体４と蓋部３からなり、容器本体４の内部に第二剤が収納されている。第二剤は二重容器３０（図１参照）に収納されている第一剤に混合する液剤であり、第一剤と第二剤とを混合した混合液は例えば毛染めなど所定の効能を生じる。
【００１８】
二重容器３０は、押圧変形可能な外容器３２の内側面に内袋３４を外容器３２から剥離可能に備え、内袋３４から内容物が流出されるとそれに伴って内袋３４の容積が縮小する容器である。
【００１９】
内袋３４には予め第一剤のみが収納してあり、第一剤に第二剤を注入して両者を混合すると、例えば毛染め剤としての効能を発揮する。尚第一剤は特に空気から遮断させる必要がない場合が多く、その場合には第一剤のみを収納した内袋３４は外容器３２の内面に沿った状態でよく、第二剤と混合したのち内袋３４内から空気を押し出すようにする。
【００２０】
二重容器３０は、口部３１にポンプ機構を組み付けても、内部に連通した注出孔を櫛歯に有する櫛体（いずれも図示せず）などを取り付けてもよく、また外容器３２と内袋３４の間に形成される空間も外気と連通していても、空間に通ずる開口孔に弁機能（いずれも図示せず）を備えた構造でもよい。
【００２１】
注入容器２の蓋部３は、図３に示すように内側面にねじ部９を有し、頂壁１０に注出口１１と、２つの突状部材６が形成してある。突状部材６は図５に示すように注出口１１を挟んだ両側に、２つの突状部材６の間隔が上で開くように斜め上方に延びており、更に押圧により両者の間隔が狭められても元の形状に復元する適度な弾性を有している。
【００２２】
容器本体４の口部５には図３に示すように膜体７が設けてあり、口部５は膜体７によって密閉され、第二剤が容器本体４内に密封されている。蓋部３は頂壁１０の内側に先端を斜めに切り落とした円筒状の切れ刃１２が設けてあり、蓋部３を容器本体４の口部５にねじ込むと切れ刃１２が膜体７を口部５の内周に沿って切り開く。
【００２３】
蓋部３の下端には、帯状の切取片１６が周状に蓋部３の下端の切断線１７（図４参照）から切り取り可能に取り付けてある。切取片１６が蓋部３に取り付けられていると切取片１６が容器本体４の肩部１５に当接し、切れ刃１２が膜体７に達しない口部５の途中位置までしか蓋部５をねじ込むことができない。そして切取片１６を蓋部３から取り外すと、蓋部３を口部５の終端までねじ込み、切れ刃１２で膜体７を切り開いて口部５を開口させることができる。
【００２４】
次に、二重容器３０の作用について説明する。
【００２５】
二重容器３０に第二剤を注入するときは注入容器２の切取片１６を蓋部３から切り取り、蓋部３を容器本体４の口部５にねじ込み、固定する。すると膜体７が切れ刃１２による切り開かれて口部５が開口する。次に突状部材６をつまみその左右の間隔を狭め、図２に示すように突状部材６から二重容器３０の口部３１に注入容器２の蓋部３を挿入する。
【００２６】
図１に、蓋部３を挿入した状態を示す。蓋部３を口部３１に挿入すると突状部材６は弾性を有していることから口部３１内で拡がり、内袋３４が横方向に大きく押し広げられる。したがって突状部材６の先方に空間が形成でき、容器本体４を側方より押圧すると第二剤が注出口１１より注出され、内袋３４の内面に留まることなく内袋３４内にスムースに注入される。
【００２７】
第二剤を内袋３４内に注入したなら、注入容器２を口部３１から引き抜き、第一剤と第二剤とを混合し、口部３１にポンプ機構、あるいは櫛体など（いずれも図示せず。）を取り付けて使用する。
【００２８】
このように突状部材６が左右に拡がることから第二剤が内袋３４の内面や突状部材６に付着することがなく、第二剤を第一剤の中に直接投入して両者を容易に混合し、しかも第二剤が突状部材６に付着して引き出されることなく弾性変形により容易に注入容器２を二重容器３０の口部３１から引き抜くことができる。
【００２９】
尚上記実施形態では、二本の突状部材６を蓋部３に設けた例を挙げて説明したが、本発明にかかる二重容器用注入容器の突状部材６の数、形状等は上記例に限るものではない。
【図面の簡単な説明】
【００３０】
【図１】本発明にかかる二重容器用注入容器の一実施形態を示した部分断面図である。
【図２】二重容器用注入容器を示した部分断面図である。
【図３】二重容器用注入容器を示した断面図である。
【図４】二重容器用注入容器を示した正面図である。
【図５】二重容器用注入容器を示した斜視図である。
【符号の説明】
【００３１】
２    注入容器
３    蓋部
４    容器本体
５    口部
６    突状部材
７    膜体
９    ねじ部
１０  頂壁
１１  注出口
１２  切れ刃
１５  肩部
１６  切取片
１７  切断線
３０  二重容器
３１  口部
３２  外容器
３４  内袋
【図１】
2006123976.tif 000003
【図２】
2006123976.tif 000004
【図３】
2006123976.tif 000005
【図４】
2006123976.tif 000006
【図５】
2006123976.tif 000007